(57)【要約】【課題】使用時にボトルを何度も交換する面倒がなく、使用毎にボトルをはずして洗わなくても良い調理器の改良構造を提供する。【解決手段】ボトル４の底板４３を一方向に傾斜させ、低い側に間隔をあけて配列する通孔４４を複数設け、通孔４４下方にシュート５を形成し、シュート５の一端をボトル４の外側に突出させ、ブロッカ６をシュート５内に挿入して通孔４４を密封状態にし、ボトル４内部の液が下に流れ込まないようにし、或いはシュート５内にフィルタメッシュ７１を具えるフィルタ７を挿入し、ボトル４の液がろ過されてフィルタ７に流入し排出されるようでき、単一のボトルで二つの用途に供することができるようにして利便性を達成する。【選択図】　　　　図３
0003098999.tif 000002
【実用新案登録請求の範囲】
【請求項１】
ベース上にボトルを取り付けて成り、ベース内部にモータを設け、ボトル内部下側にカッターを設置し、カッターはモータに連動して回転することにより食材を攪拌切断破砕する動作を行うことができ、且つボトルの上側の開口部をカバーで蓋をすることができ、ボトルの底板は一方向に傾斜し、底板の低い側に間隔をおいて配列した複数の通孔を設け、通孔下方に中空状のシュートを形成し、シュート内に挿入部材を挿入設置することを特徴とする調理器の改良構造。
【請求項２】
前記挿入部材はブロッカとすることができ、ブロッカとシュートの形状は対応しており、ブロッカ外周面は密封状態であることを特徴とする請求項１記載の調理器の改良構造。
【請求項３】
前記挿入部材はフィルタとすることができ、フィルタとシュートの形状は対応しており、外周面にフィルタメッシュを設けることを特徴とする請求項１記載の調理器の改良構造。
【考案の詳細な説明】
【０００１】
【考案の属する技術分野】
本考案は調理器の改良構造に関し、特にボトルの底板を一方向に傾斜させ、低い側に複数の通孔を儲け、通孔下方にシュートを形成し、ブロックパイプをシュート内に挿入して通孔を密封状態にするようにでき、或いはシュート内にフィルタメッシュを具える排出パイプを挿入して、ボトルの液体をろ過した後排出パイプに流入させ取り出せるようにし、単一のボトルに二つの用途をもたせて使用の利便性を達成する調理器の改良構造に関する。
【０００２】
【従来の技術】
近年の健康志向から、食べにくい食品を攪拌破砕して液体にし、食べやすくできる調理器はたいていの家庭のキッチン必需家電品となっている。公知の調理器は大きく二種の型に分けられる。一つは図１に示すように、調理器１はベース１１上にボトル１２をセットし、ボトル１２の上側開口部をカバー１３で密封して成り、ベース１１の内部にモータを設け、モータの軸に連動してボトル１２内部下側に軸で設置したカッター１４が回転し、ボトル１２の底板に間隔をおいて突起１５を複数設け、カバー１３を開けて食材を投入した後、ベース１１の端部の制御ボタン１５を押すとモータが起動してカッター１４を駆動して回転させ、突起１５を利用して食材がカッター１４と一緒に回転するのを防止し、食材を十分に攪拌破砕して液体にする。この型式のカッター１４は比較的広く、ナチュラルドリンク及びフラッペ等ろ過の必要がない用途に使われ、攪拌破砕して液体にした後ボトル１２を傾けて液体を出してそのまま飲用する。一部のナチュラルドリンクでろ過が必要な場合には漉し器を持って液体を注ぐことになる。
【０００３】
図２に示すように、調理器２は豆類などといった大きな滓が出るものに用いられ、ベース２１上にボトル２２をセットし、ベース２１内部にモータを設け、モータの軸はボトル２２の底部に軸で設置されたカッター２３と結合している。カッター２３は短く、カッター２３の外側に上側に開口しているフィルタ筒２４をかぶせて設置し、ボトル２２のカバー２５の中央に通孔を設け、通孔の箇所に中空のフィーダパイプ２６を挿入設置し、フィーダパイプ２６の下側端はフィルタ筒２４の開口部に差し込まれて、フィーダパイプ２６から豆をフィルタ筒２４内に落とす。ベース２１に設けた制御ボタン２７を押すとモータが起動してカッター２３を駆動して回転させ、豆を攪拌破砕して液状にし、フィルタ筒２４の設置によって残り滓はフィルタ筒２４内に残り、液はメッシュを通ってボトル２２とフィルタ筒２４との空間に流れる。液体を取り出すには、ベース２１からボトル２２を取り外し、ボトルを傾ける必要がある。
【０００４】
【考案が解決しようとする課題】
前述の２種の調理器は、ろ過の必要の有無によって分けられるが、メーカは営業用の顧客に対して、ベース一台に二つの異なるボトルを一セットとして販売し、必要に応じて異なるボトルを使用できるようにしている。これではベースの費用は削減できるが、消費者が皆同じ種類のメニューを連続して選択するとは限らず、使用時にボトルを何度も交換する面倒が起こり、使用毎にボトルをはずして洗わなければならないため理想的な構造とは言えず、改良の必要がある。
【０００５】
【課題を解決するための手段】
上記課題を解決するため、本考案は調理器の改良構造を提供する。ボトル底板を一方向に傾斜させ、低い側に間隔をおいて通孔を複数配列し、通孔の下方にシュートを形成し、シュートの一端をボトルの外側に突出させ、シュートにブロックパイプを挿入して通孔を密封状態にし、ボトル内の液体が下に流れないようにでき、或いはシュートにフィルタメッシュを具える排出パイプを挿入して、ボトルの液がろ過されて流出するようにでき、ひとつのボトルで二つの用途に使えるようにして、使用の利便性を達成する。
すなわち、本考案の調理器の改良構造は、以下の特徴を有する。
１．ベース上にボトルを取り付けて成り、ベース内部にモータを設け、ボトル内部下側にカッターを設置し、カッターはモータに連動して回転することにより食材を攪拌切断破砕する動作を行うことができ、且つボトルの上側の開口部をカバーで蓋をすることができ、ボトルの底板は一方向に傾斜し、底板の低い側に間隔をおいて配列した複数の通孔を設け、通孔下方に中空状のシュートを形成し、シュート内に挿入部材を挿入設置することを特徴とする。
２．前記挿入部材はブロッカとすることができ、ブロッカとシュートの形状は対応しており、ブロッカ外周面は密封状態であることを特徴とする。
３．前記挿入部材はフィルタとすることができ、フィルタとシュートの形状は対応しており、外周面にフィルタメッシュを設けることを特徴とする。
【０００６】
【考案の実施の形態】
本考案の好適な実施例を図に沿って説明する。
図５に示すように、本考案の調理器の基本構造は、公知のものと同様にベース３の上にボトル４を取り付けて成り、ベース３の内部にモータを設け、ボトル４内部下側に軸でカッター４１を設置し、カッター４１はモータに連動して回転することにより、攪拌破砕の動作を行ってボトル４内部に投入した固体状の食材を破砕して液状にし、またボトル４上側の開口部はカバー４２で蓋をしてボトル４作動中に密封状態にできる。　本考案の重点は、図３に示すように、ボトル４の底板４３を一方向に傾斜した設計とし、底板４３の低い側に間隔をあけて配列する通孔４４を複数設け、通孔４４の下方に中空状のシュート５を形成する。図中のシュート５はパイプ状であるが、実施上他の形状とすることもできる。シュート５の一端をボトル４の一側面に突出させ、接続に供することができるコネクタ５１を形成し、挿入部材をシュート５内に挿入設置できるようにする。
【０００７】
挿入部材はブロッカとすることができ、ブロッカ６はシュート５に対応する形状で、外周面は密封状態であり、一端の面が閉じているキャップをコネクタ５１に接続する。外周面が密封しているブロッカ６をシュート５内に装着することにより、底板４３の傾斜の低い側に通孔４４が設けてあっても、ブロッカ６に遮断されて通孔４４は閉塞状態に形成される。更にコネクタ５１にはキャップ６１が結合してあり、完全な閉塞効果を確保できる。これにより、フラッペやナチュラルドリンク等ろ過する必要のない飲料の破砕を行うとき、カバー４２を開けて食材を投入した後運転を開始し、完成した後ボトル４を傾けて液成物を注ぎ出す。
【０００８】
図４に示すように、挿入部材はフィルタ７とすることができる。フィルタ７はシュート５に対応した形状で、外周面にフィルタメッシュ７１を設け、コネクタ５１の箇所でノズル８に接続し、ノズル８の出口にバルブ８１を設けて出口を制御して封止状態或いは通過状態とすることができる。豆や果汁等完成後にろ過する必要のある飲料の破砕を行うとき、底板４３がシュート５側に傾斜していることにより、残り滓を含んだ液がシュート５側に流動し、通孔４４を通ってシュート５へ流入する。フィルタ７の外周面にはフィルタメッシュ７１が設けてあるので液体だけが通過し、残り滓はボトル４内に留まり、液はフィルタメッシュ７１を通ってフィルタ７内に入り、使用者がバルブ８１を回してノズル８の出口を開けると、液がノズル８の出口から流出する。使用者はボトル４を取り外さずに液を得ることができ便利である。
【０００９】
【考案の効果】
本考案により、シュート５を設けることによって挿入部材を装着でき、破砕した液状物がろ過の必要がないときにはブロッカー６を選択してシュート５内に挿入設置し、ろ過する必要があるときにはフィルタ７を選択してシュート５内に挿入設置する。要求が違っても公知のようにボトル全体を交換する必要がなく、ブロッカ６或いはフィルタ７の交換動作だけで済み、更にノズルとキャップの組み合わせの利用で、交換動作が非常に簡易になり、またボトルの数量を減少でき、メーカや使用者はコストダウンでき、且つ全体の包装体積も小型化し、運送でも保管でもスペースが節約できる。
【図面の簡単な説明】
【図１】公知の調理器の立体図である。
【図２】別の公知の調理器の立体図である。
【図３】本考案の好適な実施例の図である。
【図４】本考案のもう一つの好適な実施例の図である。
【図５】本考案の断面図である。
【符号の説明】
１　　調理器
１１　ベース
１２　ボトル
１３　カバー
１４　カッター
１５　突起
１６　制御ボタン
２　　調理器
２１　ベース
２２　ボトル
２３　カッター
２４　フィルタ筒
２５　カバー
２６　フィーダパイプ
２７　制御ボタン
４　　ボトル
４１　カッター
４２　カバー
４３　底板
４４　通孔
５　　シュート
５１　コネクタ
６　　ブロッカ
６１　キャップ
７　　フィルタ
７１　フィルタメッシュ
８　　ノズル
８１　　バルブ
【図１】
0003098999.tif 000003
【図２】
0003098999.tif 000004
【図３】
0003098999.tif 000005
【図４】
0003098999.tif 000006
【図５】
0003098999.tif 000007